(57)【要約】      （修正有）【課題】速やかに組み立てることができ、ストックを減らし、部分を減らし、製造コストを下げる。【解決手段】メインボードがアナログ・デジタル変換器、第１ビデオデコーダチップ、デインタレースチップ、スケーラー及びプラズマディスプレイを具え、電源供給器サブボードがメインボードの電源を供給し、チューナーサブボードがテレビジョン信号を受け取り第１ビデオデコーダチップに送り、第１デジタルＹＵＶ信号を発生させ、順序式デジタルＲＧＢ信号形式に変換した後、ビデオ信号に変換してプラズマディスプレイを駆動し、延伸オーディオビデオ入出力サブボードが異なる規格のオーディオビデオ入出力コネクタを具え、これらサブボードが接続装置で選択的にメインボードに電気的に接続される。【選択図】図２
0003102448.tif 000002
【実用新案登録請求の範囲】
【請求項１】
メインボード、電源供給器サブボード、チューナーサブボード、及び延伸オーディオビデオ入出力サブボードを具え、
該メインボードはアナログ・デジタル変換器、第１ビデオデコーダチップ、デインタレースチップ、スケーラー及びプラズマディスプレイを具え、該メインボードはアナログ・デジタル変換器でアナログＤＶＩテレビジョン信号を受け取り、並びにデジタルＲＧＢ信号に変換し、このデジタルＲＧＢ信号をスケーラーでプラズマディスプレイに適合するビデオ信号に変換してプラズマディスプレイを駆動してプラズマディスプレイにテレビジョン信号を表示させ、
該電源供給器サブボードはメインボードの必要とする異なる電源を供給し、
該チューナーサブボードはテレビジョン信号を受け取り第１ビデオデコーダチップに送り、第１ビデオデコーダチップがこれにより第１デジタルＹＵＶ信号を発生させ、該第１デジタルＹＵＶ信号をデインタレースチップにより順序式デジタルＲＧＢ信号形式に変換し、、この順序式デジタルＲＧＢ信号をスケーラーによりプラズマディスプレイに適合するビデオ信号に変換してプラズマディスプレイを駆動してプラズマディスプレイにテレビジョン信号を表示させ、
該延伸オーディオビデオ入出力サブボードは異なる規格のオーディオビデオ入出力コネクタを具え、該延伸オーディオビデオ入出力サブボードがメインボードに挿入される時、異なる規格のオーディオビデオ信号を受け取り及び出力し、
該電源供給器サブボード、該チューナーサブボード、及び延伸オーディオビデオ入出力サブボードは接続装置でメインボードに電気的に接続され、要求に応じて異なるサブボードが接続されることを特徴とする、プラズマテレビジョンの分離式基板装置。
【請求項２】
請求項１記載のプラズマテレビジョンの分離式基板装置において、第２ビデオデコーダチップを具え、該第２ビデオデコーダチップはチューナーサブボードによりテレビジョン信号を受け取り、並びに該テレビジョン信号をデコードして第２デジタルＹＵＶ信号を発生し、該第２デジタルＹＵＶ信号をスケーラーでプラズマディスプレイに適合するビデオ信号に変換した後、親子フレームの機能を発生することを特徴とする、プラズマテレビジョンの分離式基板装置。
【請求項３】
請求項１記載のプラズマテレビジョンの分離式基板装置において、接続装置が一対の雄雌型コネクタとされて電源供給器サブボード、チューナーサブボード、延伸オーディオビデオ入出力サブボードをメインボードと電気的に接続させることを特徴とする、プラズマテレビジョンの分離式基板装置。
【請求項４】
請求項１記載のプラズマテレビジョンの分離式基板装置において、接続装置がゴールドフィンガー及び対応するコネクタとされて電源供給器サブボード、チューナーサブボード、延伸オーディオビデオ入出力サブボードをメインボードと電気的に接続させることを特徴とする、プラズマテレビジョンの分離式基板装置。
【請求項５】
請求項１記載のプラズマテレビジョンの分離式基板装置において、接続装置がバス及び対応するコネクタとされて電源供給器サブボード、チューナーサブボード、延伸オーディオビデオ入出力サブボードをメインボードと電気的に接続させることを特徴とする、プラズマテレビジョンの分離式基板装置。
【考案の詳細な説明】
【技術分野】
【０００１】
本考案はプラズマテレビジョン技術に係り、特にプラズマテレビジョンの分離式基板装置に関する。
【背景技術】
【０００２】
電子技術の急速な発展により、現在の電子製品は軽量化、薄型化、コンパクト化の傾向に進化している。テレビジョンに使用されていたＣＲＴはテレビジョンのスクリーンサイズが大きくなるほどテレビジョンの奥行きを増す。現代の狭い空間にあっては、大サイズのテレビジョンを如何に設置するかが重要な問題となる。プラズマテレビジョンの誕生は、このような問題を解決する。
【０００３】
プラズマテレビジョンはテレビジョンとして使用されるほか、コンピュータのディスプレイに使用される。図１は周知のプラズマテレビジョンのシステムブロック図である。それは、チューナー１１０、サウンドプロセッサ１２０、ビデオデコーダチップ１３０、スケーラー１４０、プラズマディスプレイ１５０、スピーカ１７０、及び電源供給器１６０を具えている。
【０００４】
該チューナー１１０はテレビジョン信号を受け取り、このテレビジョン信号の画像部分をビデオデコーダチップ１３０に送り、ビデオデコーダチップ１３０がこれによりデジタルＹＣｒＣｂを発生し、このデジタルＹＣｒＣｂがスケーラー１４０でプラズマディスプレイ１５０に適合するビデオ信号に変換されて、プラズマディスプレイ１５０を駆動する。該テレビジョン信号中の音声部分はサウンドプロセッサ１７０に送られ、適当な音声形式に変換されてスピーカ１７０を駆動する。該電源供給器１６０は集積回路及び全体システムの電源を供給する。
【０００５】
図１に示されるようなプラズマテレビジョンの価格は高く、使用者によっては更に多くのオーディオビデオ効果を希望するが、そのために別にプラズマテレビジョンの基板を設計することは、関係機能を必要としない使用者にとっては、全体のプリント基板の面積が増し、コストが増し、また生産時の物料管理のコストが増す。このため、周知のプラズマテレビジョンの設計には改善の必要がある。
【考案の開示】
【考案が解決しようとする課題】
【０００６】
本考案の主要な目的は、一種のプラズマテレビジョンの分離式基板装置を提供することにあり、それは、各種のサブボードにより各種製品を速やかに組み立てることができ、ストックを減らし、さらにプラズマテレビジョンの不必要な部品を減らし、製造コストを下げられるようにしたものとする。
【課題を解決するための手段】
【０００７】
請求項１の考案は、メインボード、電源供給器サブボード、チューナーサブボード、及び延伸オーディオビデオ入出力サブボードを具え、
該メインボードはアナログ・デジタル変換器、第１ビデオデコーダチップ、デインタレースチップ、スケーラー及びプラズマディスプレイを具え、該メインボードはアナログ・デジタル変換器でアナログＤＶＩテレビジョン信号を受け取り、並びにデジタルＲＧＢ信号に変換し、このデジタルＲＧＢ信号をスケーラーでプラズマディスプレイに適合するビデオ信号に変換してプラズマディスプレイを駆動してプラズマディスプレイにテレビジョン信号を表示させ、
該電源供給器サブボードはメインボードの必要とする異なる電源を供給し、
該チューナーサブボードはテレビジョン信号を受け取り第１ビデオデコーダチップに送り、第１ビデオデコーダチップがこれにより第１デジタルＹＵＶ信号を発生させ、該第１デジタルＹＵＶ信号をデインタレースチップにより順序式デジタルＲＧＢ信号形式に変換し、、この順序式デジタルＲＧＢ信号をスケーラーによりプラズマディスプレイに適合するビデオ信号に変換してプラズマディスプレイを駆動してプラズマディスプレイにテレビジョン信号を表示させ、
該延伸オーディオビデオ入出力サブボードは異なる規格のオーディオビデオ入出力コネクタを具え、該延伸オーディオビデオ入出力サブボードがメインボードに挿入される時、異なる規格のオーディオビデオ信号を受け取り及び出力し、
該電源供給器サブボード、該チューナーサブボード、及び延伸オーディオビデオ入出力サブボードは接続装置でメインボードに電気的に接続され、要求に応じて異なるサブボードが接続されることを特徴とする、プラズマテレビジョンの分離式基板装置としている。
請求項２の考案は、請求項１記載のプラズマテレビジョンの分離式基板装置において、第２ビデオデコーダチップを具え、該第２ビデオデコーダチップはチューナーサブボードによりテレビジョン信号を受け取り、並びに該テレビジョン信号をデコードして第２デジタルＹＵＶ信号を発生し、該第２デジタルＹＵＶ信号をスケーラーでプラズマディスプレイに適合するビデオ信号に変換した後、親子フレームの機能を発生することを特徴とする、プラズマテレビジョンの分離式基板装置としている。
請求項３の考案は、請求項１記載のプラズマテレビジョンの分離式基板装置において、接続装置が一対の雄雌型コネクタとされて電源供給器サブボード、チューナーサブボード、延伸オーディオビデオ入出力サブボードをメインボードと電気的に接続させることを特徴とする、プラズマテレビジョンの分離式基板装置としている。
請求項４の考案は、請求項１記載のプラズマテレビジョンの分離式基板装置において、接続装置がゴールドフィンガー及び対応するコネクタとされて電源供給器サブボード、チューナーサブボード、延伸オーディオビデオ入出力サブボードをメインボードと電気的に接続させることを特徴とする、プラズマテレビジョンの分離式基板装置としている。
請求項５の考案は、請求項１記載のプラズマテレビジョンの分離式基板装置において、接続装置がバス及び対応するコネクタとされて電源供給器サブボード、チューナーサブボード、延伸オーディオビデオ入出力サブボードをメインボードと電気的に接続させることを特徴とする、プラズマテレビジョンの分離式基板装置としている。
【考案の効果】
【０００８】
本考案のプラズマテレビジョンの分離式基板装置は、各種のサブボードにより各種製品を速やかに組み立てることができ、ストックを減らし、さらにプラズマテレビジョンの不必要な部品を減らし、製造コストを下げられるようにする。
【考案を実施するための最良の形態】
【０００９】
本考案のプラズマテレビジョンの分離式基板装置は、メインボード、電源供給器サブボード、チューナーサブボード、及び延伸オーディオビデオ入出力サブボードを具えている。該メインボードはアナログ・デジタル変換器、第１ビデオデコーダチップ、デインタレースチップ、スケーラー及びプラズマディスプレイを具えている。該メインボードはアナログ・デジタル変換器でアナログＤＶＩテレビジョン信号を受け取り、並びにデジタルＲＧＢ信号に変換し、このデジタルＲＧＢ信号をスケーラーでプラズマディスプレイに適合するビデオ信号に変換してプラズマディスプレイを駆動してプラズマディスプレイにテレビジョン信号を表示させる。該電源供給器サブボードはメインボードの必要とする異なる電源を供給する。該チューナーサブボードはテレビジョン信号を受け取り第１ビデオデコーダチップに送り、第１ビデオデコーダチップがこれにより第１デジタルＹＵＶ信号を発生させ、該第１デジタルＹＵＶ信号がデインタレースチップにより順序式デジタルＲＧＢ信号形式に変換され、この順序式デジタルＲＧＢ信号がスケーラーによりプラズマディスプレイに適合するビデオ信号に変換されてプラズマディスプレイを駆動してプラズマディスプレイにテレビジョン信号を表示させる。該延伸オーディオビデオ入出力サブボードは異なる規格のオーディオビデオ入出力コネクタを具え、該延伸オーディオビデオ入出力サブボードがメインボードに挿入される時、異なる規格のオーディオビデオ信号を受け取り及び出力する。該電源供給器サブボード、該チューナーサブボード、及び延伸オーディオビデオ入出力サブボードは接続装置でメインボードに電気的に接続され、要求に応じて異なるサブボードが接続される。
【実施例１】
【００１０】
本考案のプラズマテレビジョンの分離式基板装置は、図２に示されるように、メインボード２００、電源供給器サブボード３００、チューナーサブボード４００、及び延伸オーディオビデオ入出力サブボード５００を具えている。
【００１１】
該メインボード２００は、アナログ・デジタル変換器２０２、第１ビデオデコーダチップ２０４、デインタレースチップ２０６、スケーラー２０８、プラズマディスプレイ２１０、第２ビデオデコードチップ２１２、切り換え器２１４、フィルタ２１６、スピーカ２２２、及びサウンドプロセッサ２２０を具えている。
【００１２】
該延伸オーディオビデオ入出力サブボード５００はその上に異なる規格のオーディオビデオ入出力コネクタ、例えば、Ｓ端子５１０、ＣＶＢＳ端子５２０及び色差コネクタ５０６を具え、延伸オーディオビデオ入出力サブボード５００がメインボード２００に挿入される時、異なる規格のオーディオビデオ信号を受け取り及び出力することができる。該延伸オーディオビデオ入出力サブボード５００はメインボード２００と接続装置７００により電気的に接続される。
【００１３】
該延伸オーディオビデオ入出力サブボード５００がメインボード２００に差し込まれる時、メインボード２００は延伸オーディオビデオ入出力サブボード５００上の色差（ｃｏｍｐｏｎｅｎｔ）コネクタ５０６によりアナログの色差信号を受け取り、該アナログの色差信号を接続装置７００によりアナログ・デジタル変換器２０２に送る。該アナログ・デジタル変換器２０２はそれをデジタルＲＧＢ信号に変換し、該デジタルＲＧＢ信号をスケーラー２０８によりプラズマディスプレイ２１０に適合するビデオ信号に変換し、プラズマディスプレイ２１０を駆動し、プラズマディスプレイ２１０に色差テレビジョン信号を表示させる。
【００１４】
該延伸オーディオビデオ入出力サブボード５００がメインボード２００に差し込まれる時、該メインボード２００は延伸オーディオビデオ入出力サブボード５００上のＣＶＢＳコネクタ５０２によりＣＶＢＳテレビジョン信号を受け取り、該ＣＶＢＳテレビジョン信号を接続装置７００で切り換え器２１４に送る。
【００１５】
該チューナーサブボード４００はチューナー４１０によりテレビジョン信号を受け取り、並びにテレビジョン信号を接続装置８００、６００により該切り換え器２１４に送る。該切り換え器２１４は該ＣＶＢＳテレビジョン信号或いはチューナーサブボード４００のテレビジョン信号を出力として選択し、さらに、その出力する信号に対してろ波と雑音除去が行なわれる。
【００１６】
該ろ波器２１６の出力は、第１ビデオデコーダチップ２０４に結合され、該第１ビデオデコーダチップ２０４がこれにより第１デジタルＹＵＶ信号２３０を出力する。該第１デジタルＹＵＶ信号２３０はデインタレースチップ２０６でインタレース式デジタルＹＵＶ信号形式から順序式デジタルＲＧＢ信号形式に変換され、この順序式デジタルＲＧＢ信号がさらにスケーラー２０８でプラズマディスプレイ２１０に適合するビデオ信号に変換されて、プラズマディスプレイ２１０を駆動し、プラズマディスプレイ２１０に該ＣＶＢＳテレビジョン信号或いはチューナーサブボード４００のテレビジョン信号を表示させる。
【００１７】
該第２ビデオデコーダチップ２１２の一つの入力端はチューナーサブボード４００によりテレビジョン信号を受け取り、もう一つの入力端は延伸オーディオビデオ入出力サブボード５００上のＣＶＢＳコネクタ５０２によりＣＶＢＳテレビジョン信号を受け取る。該第２ビデオデコーダチップ２１２はＣＶＢＳテレビジョン信号或いは該チューナーサブボード４００のテレビジョン信号をデコードし、第２デジタルＹＵＶ信号２３２を発生し、この第２デジタルＹＵＶ信号２３２をスケーラー２０８でプラズマディスプレイ２１０に適合するビデオ信号に変換してデインタレースチップ２０６の発生する順序式デジタルＲＧＢ信号と、親子フレームの機能（ＰＩＰ）を形成できるようにする。そのうち、第２ビデオデコーダチップ２１２の発生する第２デジタルＹＵＶ信号２３２は子フレーム画像を提供し、デインタレースチップ２０６の発生する順序式デジタルＲＧＢ信号は画像品質が良好であるため、親フレーム画像を提供する。
【００１８】
電源供給器サブボード３００は、電源供給器３１０を具え、メインボード２００の必要とする異なる電源を提供し、該電源供給器サブボード３００とメインボード２００は接続装置６００で電気的に接続される。
該電源供給器サブボード３００、チューナーサブボード４００及び延伸オーディオビデオ入出力サブボード５００はメインボード２００と、接続装置６００、７００、８００により電気的に接続され、異なる要求により異なるサブボードが挿入される。
【００１９】
該接続装置６００、７００、８００は一対の雄雌型コネクタ、ゴールドフィンガー及び対応するコネクタ、或いはバス及び対応するコネクタとされる。上述のいずれかの接続装置により、該電源供給器サブボード３００、チューナーサブボード４００、延伸オーディオビデオ入出力サブボード５００が製品の必要（例えばテレビジョンシステム、サイズ等）により選択的にメインボード２００と接続される。
【００２０】
以上の説明から分かるように、該メインボード２００と電源供給器サブボード３００はプラズマテレビジョンの必要とするすべての機能を具え、製品がプラズマテレビジョンをテレビジョンとする必要がある時、チューナーサブボード４００、延伸オーディオビデオ入出力サブボード５００が接続装置で接続される。本考案は各種サブボードにより、速やかに各種製品を組み立てることができ、ストックを減らし、プラズマテレビジョンの不必要な部品を減らし、製造コストを減らすことができる。
【００２１】
総合すると、本考案はその目的、手段、機能のいずれにおいても周知の技術の特徴とは異なっており、極めて実用価値を具えている。なお以上の実施例は本考案の実施範囲を限定するものではなく、本考案に基づきなしうる細部の修飾或いは改変は、いずれも本考案の請求範囲に属するものとする。
【図面の簡単な説明】
【００２２】
【図１】周知のプラズマテレビジョンのシステムブロック図である。
【図２】本考案のブロック図である。
【符号の説明】
【００２３】
１１０  チューナー                      １２０  サウンドプロセッサ
１３０  ビデオデコーダチップ            １４０  スケーラー
１５０  プラズマディスプレイ            １６０  電源供給器
１７０  スピーカ
２００  メインボード                    ３００  電源供給器サブボード
４００  チューナーサブボード
５００  延伸オーディオビデオ入出力サブボード
２０２  アナログ・デジタル変換器        ２０４  第１ビデオデコーダチップ
２０６  デインタレースチップ            ２０８  スケーラー
２１２  第２ビデオデコーダチップ        ２１４  切り換え器
２１６  ろ波器                          ２２０  サウンドプロセッサ
２２２  スピーカ
３１０  電源供給器                      ４１０  チューナー
５０２  ＣＶＢＳコネクタ                ５０４  Ｓ端子
５０６  色差コネクタ                    ６００  接続装置
７００  接続装置                        ８００  接続装置
【図１】
0003102448.tif 000003
【図２】
0003102448.tif 000004